(57)【要約】【課題】消費エネルギー効率を良くした床暖房システムを提供する。【解決手段】ユニット建物１の２階の床下空間４２において、この２階の床下空間４２を形成する床材１１を支持する金属製の床支持材としての床小梁１２，・・・の下部に、面状の放熱体２が、その下側に設けられた断熱材３により圧設されており、面状の放熱体２は、これに熱媒としての温水を循環させる熱源としてのヒートポンプ６に循環管路としての放熱体用往路管２１及び放熱体用復路管２２を介して接続された構成とされている。【選択図】図１
2012122656.tif 000002
【特許請求の範囲】
【請求項１】
建物の床下空間において、該床下空間を形成する床材を支持する金属製の床支持材の下部に、放熱体が、その下側に設けられた断熱材により圧設されていることを特徴とする床暖房システム。
【請求項２】
前記放熱体は、これに熱媒を循環させる熱源に循環管路を介して接続されていることを特徴とする請求項１に記載の床暖房システム。
【請求項３】
前記熱源は、前記建物の屋外に設けられたヒートポンプであることを特徴とする請求項２に記載の床暖房システム。
【請求項４】
前記放熱体と前記循環管路との接続部の上方の前記床材には、点検口が設けられていることを特徴とする請求項２又は３に記載の床暖房システム。
【請求項５】
請求項１乃至４のいずれか１項に記載の床暖房システムを備えていることを特徴とする建物。
【請求項６】
請求項１乃至４のいずれか１項に記載の床暖房システムを備えていることを特徴とするユニット建物。
【請求項７】
請求項６に記載のユニット建物を構成する建物ユニットであって、工場で予め、天井材の上面に前記断熱材が設けられ、さらに該断熱材の上面に前記放熱体が設けられていることを特徴とする建物ユニット。
【発明の詳細な説明】
【技術分野】
【０００１】
本発明は、建物の床暖房システム、この床暖房システムを備えた建物、この床暖房システムを備えたユニット建物、及びこのユニット建物を構成する建物ユニットに関するものである。
【背景技術】
【０００２】
従来から、建物の２階以上の床下空間に薄型の暖房装置を設置して、２階以上の床上空間の床暖房も行えるようにした床暖房システムが知られている（例えば、特許文献１等を参照）。
【先行技術文献】
【特許文献】
【０００３】
【特許文献１】特開２００８−２６７６１３号公報
【発明の概要】
【発明が解決しようとする課題】
【０００４】
しかしながら、特許文献１のような従来の床暖房システムでは、主に輻射熱のみで床上空間を暖めていたため、所望の温度になるような床暖房を行うには、消費エネルギー効率が思ったほど良くなく、改善の余地があった。
【０００５】
そこで、本発明は、消費エネルギー効率を良くした床暖房システム、この床暖房システムを備えた建物、この床暖房システムを備えたユニット建物、及びこのユニット建物を構成する建物ユニットを提供することを目的としている。
【課題を解決するための手段】
【０００６】
前記目的を達成するために、本発明の床暖房システムは、建物の床下空間において、該床下空間を形成する床材を支持する金属製の床支持材の下部に、放熱体が、その下側に設けられた断熱材により圧設されていることを特徴とする。
【０００７】
ここで、前記放熱体は、これに熱媒を循環させる熱源に循環管路を介して接続されているとよい。
【０００８】
また、前記熱源は、前記建物の屋外に設けられたヒートポンプであるとよい。
【０００９】
さらに、前記放熱体と前記循環管路との接続部の上方の前記床材には、点検口が設けられているとよい。
【００１０】
本発明の建物は、上記した床暖房システムを備えていることを特徴とする。
【００１１】
本発明のユニット建物は、上記した床暖房システムを備えていることを特徴とする。
【００１２】
本発明の建物ユニットは、上記したユニット建物を構成する建物ユニットであって、工場で予め、天井材の上面に前記断熱材が設けられ、さらに該断熱材の上面に前記放熱体が設けられていることを特徴とする。
【発明の効果】
【００１３】
このような本発明の床暖房システムは、建物の床下空間において、床下空間を形成する床材を支持する金属製の床支持材の下部に、放熱体が、その下側に設けられた断熱材により圧設された構成とされている。
【００１４】
こうした構成なので、特に２階以上の床上空間においても、狭い床下空間を利用して、放熱体からの輻射熱だけでなく、放熱体から金属製の床支持材を介した伝導熱及び金属製の床支持材間の暖気の対流による熱により、床材を通して、消費エネルギー効率を良くして暖めることができる。
【００１５】
そのうえ、断熱材が有るので、下階に熱が逃げず、効率的に上階を暖めることができる。
【００１６】
ここで、放熱体は、これに熱媒を循環させる熱源に循環管路を介して接続されている場合は、このような消費エネルギー効率を良くした構造を簡易且つ安価に実施することができる。
【００１７】
また、熱源が、建物の屋外に設けられたヒートポンプである場合は、ヒートポンプを用いるので、省エネルギー性能に優れたものとすることができる。
【００１８】
さらに、放熱体と循環管路との接続部の上方の床材には、点検口が設けられている場合は、熱媒が漏れたりする故障が生じ易い放熱体と循環管路との間の接続部近傍のメンテナンスを容易に行うことができる。
【００１９】
このような本発明の建物は、上記した床暖房システムを備えた構成とされている。
【００２０】
こうした構成なので、上記した効果を奏する建物とすることができる。
【００２１】
このような本発明のユニット建物は、上記した床暖房システムを備えた構成とされている。
【００２２】
こうした構成なので、上記した効果を奏するユニット建物とすることができるうえに、ユニット建物であるが故に、工期を大幅に短縮できるなどのメリットを有する。
【００２３】
このような本発明の建物ユニットは、上記したユニット建物を構成する建物ユニットであって、工場で予め、天井材の上面に断熱材が設けられ、さらに断熱材の上面に放熱体が設けられた構成とされている。
【００２４】
こうした構成なので、上記したユニット建物を、より工期を短縮して構築することができる。
【図面の簡単な説明】
【００２５】
【図１】実施例の床暖房システムを備えたユニット建物の概略構成を説明する説明図である。
【図２】実施例の床暖房システムに用いる放熱体の概略構成を説明する説明図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例の床暖房システムを備えた建物としてのユニット建物１の概略構成を示している。
【００２９】
まず、このようなユニット建物１は、基礎として構築された基礎底盤コンクリート１ｂと、その側縁に立設された基礎側壁コンクリート１ｃの上に、１階の建物ユニット１Ａと２階の建物ユニット１Ｂとを組み付けて成る。
【００３０】
これにより、基礎側壁コンクリート１ｃの上に立設された外壁部１ｄと、その外壁部１ｄの上端開口を塞ぐ天井部１ｅとが形成される。
【００３１】
そして、この天井部１ｅと外壁部１ｄとに囲まれる空間は、１階の床部１ａによって１階の床下空間４１と床上空間５とが区切られている。
【００３２】
さらに、この床上空間５は、２階の床部１０により、１階の床上空間５１と２階の床上空間５２とに区画されている。
【００３３】
ここで、１階の建物ユニット１Ａでは、工場で予め、天井材９の上面に、グラスウールなどの断熱材３が設けられ、さらに断熱材９の上面に、面状の放熱体２が設けられている。
【００３４】
また、２階の建物ユニット１Ｂでは、工場で予め、床材１１が金属製の床支持材としての床小梁１２，・・・により支持されている。
【００３５】
さらに、１階の建物ユニット１Ａの上に、２階の建物ユニット１Ｂを組み付けることで、２階の床下空間４２が形成されている。
【００３６】
これにより、実施例の床暖房システムでは、この２階の床下空間４２内において、床小梁１２，・・・の下部に、面状の放熱体２が、１階の天井材９の上側に設けた断熱材３により下側からこの断熱材３の弾性により押し上げられて圧設されている。
【００３７】
ここで、この面状の放熱体２は、図２に示したように、薄型の熱伝導体２ａ内に放熱管２０が波形状に折り返して配設されたものである。
【００３８】
そのうえで、放熱管２０は、一端部に循環管路としての放熱体用往路管２１が設けられ、他端部には循環管路としての放熱体用復路管２２が設けられており、熱源としてのヒートポンプ６に接続されており、熱媒としての温水が循環可能とされている。
【００３９】
また、面状の放熱体２の放熱管２０と放熱体用往路管２１及び放熱体用復路管２２との接続部の上方の床材１１には、点検口７が設けられており、この点検口７には開閉可能な蓋体７ａがそれぞれ設けられている。
【００４０】
なお、２階の床上空間５２内には、温度設定などの所望の運転を設定するためのコントローラ８が設けられている。
【００４１】
次に、実施例の床暖房システムの運転について説明する。
【００４２】
まず、コントローラ８により設定温度を設定し、電源をオンにすると、熱源としてのヒートポンプ６から放熱体用往路管２１を通って、熱媒としての温水が、面状の放熱体２内の放熱管２０を通り、放熱体用復路管２２を通ってヒートポンプ６へ戻る循環を繰り返す。
【００４３】
これにより、２階の床上空間５２では、面状の放熱体２からの輻射熱だけでなく、面状の放熱体２から金属製の床支持材としての床小梁１２，・・・を介した伝導熱及び床小梁１２，・・・間の暖気の対流による熱により、断熱材３が有るから１階の床上空間５１に熱が逃げることなく、床材１１を通して、所望の温度となる床暖房が行われる。
【００４４】
なお、運転を停止したいときは、コントローラ８により電源をオフにすればよい。
【００４５】
次に、実施例の作用効果について説明する。
【００４６】
このような実施例の床暖房システムは、建物としてのユニット建物１の２階の床下空間４２において、この２階の床下空間４２を形成する床材１１を支持する金属製の床支持材としての床小梁１２，・・・の下部に、面状の放熱体２が、その下側に設けられた断熱材３により圧設された構成とされている。
【００４７】
こうした構成なので、２階の床上空間５２においても、狭い２階の床下空間４２を利用して、面状の放熱体２からの輻射熱だけでなく、面状の放熱体２から金属製の床支持材としての床小梁１２，・・・を介した伝導熱及び床小梁１２，・・・間の暖気の対流による熱により、床材１１を通して、消費エネルギー効率を良くして暖めることができる。
【００４８】
そのうえ、断熱材３が有るので、１階の床上空間５１に熱が逃げず、効率的に２階の床上空間５２を暖めることができる。
【００４９】
なお、３階以上の床下空間が有る場合も、同様に、好適に実施することができる。
【００５０】
ここで、面状の放熱体２は、これに熱媒としての温水を循環させる熱源としてのヒートポンプ６に循環管路としての放熱体用往路管２１及び放熱体用復路管２２を介して接続されている。
【００５１】
このため、このような消費エネルギー効率を良くした構造を簡易且つ安価に実施することができる。
【００５２】
また、熱源は、ユニット建物１の屋外に設けられたヒートポンプ６である。
【００５３】
このため、ヒートポンプを用いるので、省エネルギー性能に優れたものとすることができる。
【００５４】
さらに、面状の放熱体２と循環管路としての放熱体用往路管２１及び放熱体用復路管２２との接続部の上方の床材１１には、点検口７が設けられている。
【００５５】
このため、熱媒としての温水が漏れたりする故障が生じ易い面状の放熱体２と循環管路としての放熱体用往路管２１及び放熱体用復路管２２との間の接続部近傍のメンテナンスを容易に行うことができる。
【００５６】
また、点検口７には、開閉可能な蓋体７ａが設けられている。
【００５７】
このため、この蓋体７ａは、普段は閉めておき、床材１１とともに床の役目を果たし、メンテナンス時には開いて、メンテナンス作業を行えばよい。
【００５８】
このような実施例のユニット建物１は、実施例の床暖房システムを備えた構成とされている。
【００５９】
こうした構成なので、上記した実施例の床暖房システムの作用効果を奏する建物とすることができる。
【００６０】
そのうえ、ユニット建物であるが故に、通常の軸組建物などよりも、工期を大幅に短縮できるなどのメリットを有する。
【００６１】
このような実施例の１階の建物ユニット１Ａは、工場で予め、１階の天井材９の上面に断熱材３が設けられ、さらに断熱材３の上面に面状の放熱体２が設けられた構成とされている。
【００６２】
また、２階の建物ユニット１Ｂは、工場で予め、床材１１が金属製の床支持材としての床小梁１２，・・・により支持されている。
【００６３】
こうした構成なので、１階の建物ユニット１Ａの上に、２階の建物ユニット１Ｂを組み付けるだけで、実施例の床暖房システムを備えたユニット建物１を、より工期を短縮して構築することができる。
【００６４】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６５】
例えば、上記した実施例では、本発明の床暖房システムの説明を簡単に行えるように、建物としてのユニット建物１の構造などを単純化したが、これに限定されず、より複雑な構造で実施してもよい。
【００６６】
また、上記した実施例では、建物として、ユニット建物１を適用して実施したが、これに限定されず、軸組建物などで実施してもよい。
【００６７】
さらに、上記した実施例では、本発明の床暖房システムを２階の床下空間４２のみに実施したが、これに限定されず、１階の床下空間４１に実施してもよい。
【００６８】
また、上記した実施例では、放熱体２として、薄型の熱伝導体２ａ内に放熱管２０を波形状に折り返して配設した面状のものを用いて実施したが、これに限定されず、例えば、特許第３０５０５３４号公報に開示されたような放熱管２０を剥き出しにした線状のものなどを用いて実施してもよい。
【００６９】
さらに、上記した実施例では、放熱体２として、放熱管２０を用いたもので実施したが、これに限定されず、例えば、放熱管２０の代わりに電熱線などを用いたもので実施してもよい。
【符号の説明】
【００７０】
１      ユニット建物（建物）
１Ａ    １階の建物ユニット
１Ｂ    ２階の建物ユニット
１ａ    １階の床部
１ｂ    基礎底盤コンクリート
１ｃ    基礎側壁コンクリート
１ｄ    外壁部
１ｅ    天井部
２      放熱体
２ａ    熱伝導体
２０    放熱管
２１    放熱体用往路管（循環管路）
２２    放熱体用復路管（循環管路）
３      断熱材
４１    １階の床下空間
４２    ２階の床下空間
５      床上空間
５１    １階の床上空間
５２    ２階の床上空間
６      ヒートポンプ（熱源）
７      点検口
７ａ    蓋体
８      コントローラ
９      １階の天井材
１０    ２階の床部
１１    床材
１２    床小梁（金属製の床支持材）
【図１】
2012122656.tif 000003
【図２】
2012122656.tif 000004